(57)【要約】【課題】赤外線データ放送方式を用いて、携帯電話などの携帯情報端末へ高速又は超高速で大容量コンテンツを配信する手段を提供する。【解決手段】携帯電話端末１０は、移動体通信網６０とインターネット４０を介してウェブサイトまたは大容量コンテンツを指定する少量の接続情報を通信制御サーバ３０へ送信して、上記の通信制御サーバ３０は、インターネット４０を介して上記のウェブサイトまたはコンテンツデータを赤外線送信装置２０へ送信し、赤外線送信装置２０は、赤外線データ放送方式で携帯電話端末１０などへ配信し、携帯電話端末１０は、赤外線データ放送方式で上記のコンテンツを受信する。【選択図】図１
2006352291.tif 000002
【特許請求の範囲】
【請求項１】
インターネットを介して、前記インターネットに接続されるコンテンツサーバのコンテンツを受信し、前記インターネットを介して、赤外線送信装置へ前記コンテンツを配信する通信制御サーバと、前記インターネットを介して、前記コンテンツを受信し携帯情報端末に配信する前記赤外線送信装置と、前記コンテンツを赤外線データ放送方式で受信できる前記携帯情報端末とを含んで構成されることを特徴とする赤外線データ放送と無線電波通信によるハイブリッドワイヤレス通信システム。
【請求項２】
前記コンテンツを正確に前記携帯情報端末に送信するために、前記携帯情報端末の識別情報と前記赤外線送信装置の識別情報は、前記コンテンツに付加されることを特徴とする請求項１記載の赤外線データ放送と無線電波通信によるハイブリッドワイヤレス通信システム。
【請求項３】
前記携帯情報端末は、無線電波通信によって前記コンテンツの指定情報と、前記携帯情報端末の識別情報と、前記赤外線送信装置の識別情報と、前記コンテンツの受信状況とに関する情報を前記通信制御サーバに送信し、前記赤外線データ放送方式で前記赤外線送信装置からの前記コンテンツを受信することを特徴とする請求項１記載の赤外線データ放送方式と無線電波通信によるハイブリッドワイヤレス通信システム。
【請求項４】
前記通信制御サーバは、前記携帯情報端末からの前記コンテンツの接続情報によって、前記インターネットを介して指定されたコンテンツにアクセスし、前記赤外線送信装置の識別情報で指す前記赤外線送信装置に、前記コンテンツと前記携帯情報端末の前記コンテンツの受信状況に関する情報を送信することを特徴とする請求項１記載の赤外線データ放送方式と無線電波通信によるハイブリッドワイヤレス通信システム。
【請求項５】
前記赤外線送信装置は、前記携帯情報端末からの前記コンテンツの受信状況に応じ、前記赤外線データ放送方式で前記コンテンツのパケットを配信することを特徴とする請求項１記載の赤外線データ放送と無線電波通信によるハイブリッドワイヤレス通信システム。
【請求項６】
前記コンテンツが、前記赤外線送信装置から前記赤外線データ放送方式によって前記携帯情報端末へ配信されることを特徴とする請求項１記載の赤外線データ放送と無線電波通信によるハイブリッドワイヤレス通信システム。
【請求項７】
前記通信制御サーバは、前記赤外線送信装置の識別情報を用いることによって、前記赤外線送信装置のような複数の赤外線送信装置を制御、管理できることを特徴とする請求項１記載の赤外線データ放送と無線電波通信によるハイブリッドワイヤレス通信システム。
【請求項８】
前記赤外線送信装置は、前記携帯情報端末の識別情報を用いることによって、前記赤外線送信装置の配信エリアにある複数の前記携帯情報端末に、各携帯情報端末から要求されるコンテンツを配信できることを特徴とする請求項１記載の赤外線データ放送と無線電波通信によるハイブリッドワイヤレス通信システム。
【請求項９】
通信管理サーバと赤外線送信装置と携帯情報端末とがインターネットを介して接続され、前記通信管理サーバは、前記携帯情報端末から無線電波で送信されるコンテンツの接続情報でコンテンツサーバにアクセスし、前記コンテンツを前記赤外線送信装置に配信すると、前記インターネットを介して、前記赤外線送信装置は前記コンテンツを受信し、赤外線データ放送で前記携帯情報端末に配信し、前記携帯情報端末は、赤外線データ放送方式で前記コンテンツを受信することを特徴とする赤外線データ放送と無線電波通信によるハイブリッドワイヤレス通信方法。
【請求項１０】
前記コンテンツを正確に前記携帯情報端末に配信するために、前記携帯情報端末の識別情報と前記赤外線送信装置の識別情報は、前記コンテンツに付加されることを特徴とする請求項９記載の赤外線データ放送と無線電波通信によるハイブリッドワイヤレス通信方法。
【請求項１１】
前記携帯情報端末は、無線電波通信によって前記コンテンツの指定情報と前記赤外線送信装置の識別情報と前記コンテンツの受信状況に関する情報を前記通信制御サーバに送信し、前記赤外線データ放送方式で前記赤外線送信装置からの前記コンテンツを受信することを特徴とする請求項９記載の赤外線データ放送と無線電波通信によるハイブリッドワイヤレス通信方法。
【請求項１２】
前記通信制御サーバは、前記携帯情報端末からの前記コンテンツの指定情報によって、前記インターネットを介して指定されたコンテンツサーバにアクセスし、前記赤外線送信装置の識別情報で指す前記赤外線送信装置に、前記コンテンツと前記携帯情報端末の前記コンテンツの受信状況に関する情報を送信することを特徴とする請求項９記載の赤外線データ放送と無線電波通信によるハイブリッドワイヤレス通信方法。
【請求項１３】
前記赤外線送信装置は、前記通信制御サーバを介して、前記携帯情報端末からの前記コンテンツの受信状況に応じ、前記赤外線データ放送方式で前記コンテンツをパケットで配信することを特徴とする請求項９記載の赤外線データ放送と無線電波通信によるハイブリッドワイヤレス通信方法。
【請求項１４】
前記コンテンツは、前記赤外線送信装置から前記赤外線データ放送方式によって前記携帯情報端末へ配信されることを特徴とする請求項９記載の赤外線データ放送と無線電波通信によるハイブリッドワイヤレス通信方法。
【請求項１５】
前記通信制御サーバは、前記赤外線送信装置の識別情報を用いることによって、前記赤外線送信装置のような複数の赤外線送信装置を制御、管理できることを特徴とする請求項９記載の赤外線データ放送と無線電波通信によるハイブリッドワイヤレス通信方法。
【請求項１６】
前記赤外線送信装置は、前記携帯情報端末の識別情報を用いることによって、前記赤外線送信装置の配信エリアにある複数の携帯情報端末に、各携帯情報端末から要求されるコンテンツを配信できることを特徴とする請求項９記載の赤外線データ放送と無線電波通信によるハイブリッドワイヤレス通信方法。
【発明の詳細な説明】
【技術分野】
【０００１】
本発明は、赤外線データ放送と無線電波通信で構成されるハイブリッド型の双方向ワイヤレス通信方式の通信方法とシステムに関し、特に、高速赤外線データ放送の高速通信能力及び無線電波通信の広範な通信距離の特長を融合することによって、人が集まる公共的な場所で、多数の携帯電話などの携帯情報端末ユーザに、通信速度で非対称的な高速双方向通信サービスを提供することを特徴とする赤外線データ放送と無線電波通信によるハイブリッドワイヤレス通信方法とシステムに関する。
【背景技術】
【０００２】
情報通信技術の発展によって、いつでも、どこでも、誰もが情報を高速に、かつ安価に利用できるユビキタス情報社会になると予想されている。ユビキタス情報社会の実現は、生活スタイルや社会の仕組みを大きく変えると共に、新たなサービスや、新たな機器の需要を生み出し、経済の活性化を促進すると考えられる。ユビキタス情報社会では、さまざまな情報にどこからでもアクセスできるため、人々は電子機器を持ち運ぶことになり、携帯情報端末やウェアラブルコンピュータ等のモバイル機器が重要な役割を演じることになる。携帯情報端末を用いたインターネットへの高速アクセスの需要は、急速に増加すると予測する。特に、大容量コンテンツの高速配信を実現するための低価格で高速なインターネットアクセスサービスは、ますます重要になると考える。
無線電波による多数の携帯情報端末向け高速通信サービスを実現する上では、使える無線バンド資源の不足、通信速度の限界などが問題となる。特に、高速無線電波通信を実現するには、広い無線バンドを使うことから、干渉問題や高コスト、通信の安定性、人体に対する影響などの問題解決が重要である。また、携帯電話を中心とする携帯情報端末のユーザは、現行のワイヤレス通信で大容量のコンテンツサービスを受ける際に、従量制課金により大きなコスト負担を強いられる。さらに、現在の携帯電話の通信速度は、大容量のコンテンツ配信にとって、相当能力不足というのが実情である。将来、ユビキタス情報社会を実現するためには、携帯情報端末に向け、高速または超高速な双方向ワイヤレス通信方式が低コストで提供できることが極めて重要である。
FTTH及びGE-PONギガビットインターネットの拡大と普及を受けて、サービス利用者の宅内まで１Gbpsの回線を引き込むサービスが登場している。一方、無線ブロードバンドの普及は、ADSLやFTTHにより数十Mbpsの常時接続環境が当たり前になったことに比べ、なかなか思うように進んでいない。一時期は次世代のモバイルブロードバンドとして期待された公衆無線LANも、現在は大都市の中心部など、ごく限られたエリアでのサービスにとどまっているし、さほど利用者も伸びていない。また、モバイル環境での接続は、いまだにPHSや携帯電話という数十Kbpsの比較的低速な接続が主流のままである。つまり、現状の無線通信技術だけでは高速接続環境の進化はあまり期待できない状況と言える。一方、インターネット内には大容量コンテンツまたはそのデータベースが構築されつつあるが、低速接続の携帯情報端末では、その恩恵を受けることができない。よって、ギガビットインターネットとモバイルデバイス間の高速インタフェースや、大容量コンテンツの流通システム（コンテンツおよび課金）を実現するプロトコル、およびシステムの構築が望まれている。
IrDAを代表とする赤外線データ通信は、高速通信速度、低コスト、低消費電力、超小型などの特長で注目され、超近距離における一対一の通信手段として広く使われているが、短い通信距離と一対一の通信方式であることから、人が集まる公共的な場所での利用は困難である。「赤外線を用いる携帯情報端末向けの単方向赤外線通信プロトコルとコンテンツ配信システム」（特願２００４−７７８５７）で、中距離通信が可能でかつ一対多数の特長をもつ赤外線データ放送方式を提案した。この赤外線データ放送方式は、受信側の応答を求めない単方向通信が特徴で、IrDAより遥かに広い範囲に高速または超高速にデータ配信を実現できる。
【発明の開示】
【発明が解決しようとする課題】
【０００３】
インターネットを経由して、ウェブサイトの閲覧またはコンテンツの取得を行う場合、前記のウェブサーバまたはコンテンツサーバへの上り方向のデータ量と比べて、前記のウェブサーバまたはコンテンツサーバからの下り方向のデータ量が遥かに大きい。ゆえに、携帯電話などが無線電波通信を利用する場合、従量制課金システムでは、前記の上り方向通信の料金より前記の下り方向通信の料金がずっと高くなる。また、携帯電話などの移動体データ通信は通信環境、利用される無線バンドなどの条件または制限で超高速通信の実現が困難である。通信速度の向上とワイヤレス通信費用の低減を同時に実現するには、全体の通信量の大きな部分を占める前記の下り方向通信に、現状の無線電波に代わる新たな通信方法を導入することが極めて有効な手段である。本発明は、携帯電話端末など携帯情報端末向けの低コストで高速な双方向ワイヤレス通信を実現するために、携帯電話端末など携帯情報端末のユーザは無線電波通信の移動体通信網を介して、ウェブサイトまたは大容量コンテンツを指定する少量な情報を通信制御サーバへ送信して、前記の通信制御サーバはインターネットを介して前記のウェブサイトまたは前記のコンテンツサーバから、ウェブデータまたはコンテンツデータを、赤外線データ放送機能をもつ赤外線送信装置へ送信し、赤外線送信装置は赤外線データ放送方式で携帯電話など携帯情報端末へ配信する。携帯情報端末は前記のコンテンツデータを受信し、表示、保存できる。本発明により、携帯電話端末など携帯情報端末の無線電波通信を上り経路として、高速赤外線データ放送を下り経路として、赤外線データ放送と無線電波通信によるハイブリッドワイヤレス通信方式とシステムを提供する。
【課題を解決するための手段】
【０００４】
本願の第１の発明は、インターネットを介して、前記インターネットに接続されるコンテンツサーバのコンテンツを受信し、前記インターネットを介して、赤外線送信装置へ前記コンテンツを配信する通信制御サーバと、前記インターネットを介して、前記コンテンツを受信し携帯情報端末に配信する前記赤外線送信装置と、前記コンテンツを赤外線データ放送方式で受信できる前記携帯情報端末とを含んで構成されることを特徴とする。
本願の第２の発明は、第１の発明の前記コンテンツを正確に前記携帯情報端末に送信するために、前記携帯情報端末の識別情報と前記赤外線送信装置の識別情報は、前記コンテンツに付加されることを特徴とする。
本願の第３の発明は、第１の発明の前記携帯情報端末は、無線電波通信によって前記コンテンツの指定情報と、前記携帯情報端末の識別情報と、前記赤外線送信装置の識別情報と、前記コンテンツの受信状況とに関する情報を、前記通信制御サーバに送信し前記赤外線データ放送方式で前記赤外線送信装置からの前記コンテンツを受信することを特徴とする。
本願の第４の発明は、第１の発明の前記通信制御サーバは、前記携帯情報端末からの前記コンテンツの指定情報によって、前記インターネットを介して指定された前記コンテンツサーバにアクセスし、前記赤外線送信装置の識別情報で指す前記赤外線送信装置に、前記コンテンツのパケットと前記携帯情報端末の前記コンテンツの受信状況に関する情報を送信することを特徴とする。
本願の第５の発明は、第１の発明の前記赤外線送信装置は、前記携帯情報端末からの前記コンテンツの受信状況に応じ、前記赤外線データ放送方式で前記コンテンツのパケットを配信することを特徴とする。
本願の第６の発明は、第１の発明の前記コンテンツが、前記赤外線送信装置から前記赤外線データ放送方式によって配信されることを特徴とする。
本願の第７の発明は、第１の発明の前記通信制御サーバは、前記赤外線送信装置の識別情報を用いることによって、前記赤外線送信装置のような複数の赤外線送信装置を制御、管理できることを特徴とする。
本願の第８の発明は、第１の発明の前記赤外線送信装置は、前記携帯情報端末の識別情報を用いることによって、前記赤外線送信装置の配信エリアにある複数の前記携帯情報端末に、その携帯情報端末から要求されるコンテンツを配信できることを特徴とする。
本願の第９の発明は、通信管理サーバと赤外線送信装置と携帯情報端末とがインターネットと移動体通信網を介して接続され、前記通信管理サーバは、前記携帯情報端末から無線移動体通信で送信されるコンテンツの接続情報を用いてコンテンツサイトにアクセスし、前記コンテンツを前記赤外線送信装置に配信すると、前記インターネットを介して、前記赤外線送信装置は前記コンテンツを受信し、赤外線データ放送方式で前記コンテンツを前記携帯情報端末に配信し、前記携帯情報端末は、赤外線データ放送方式で前記コンテンツを受信することを特徴とする。
本願の第１０の発明は、第９の発明の前記コンテンツを正確に前記携帯情報端末に配信するために、前記携帯情報端末の識別情報と前記赤外線送信装置の識別情報は前記コンテンツに付加されることを特徴とする。
本願の第１１の発明は、第９の発明の前記携帯情報端末は、無線電波通信によって前記コンテンツの指定情報と、前記赤外線送信装置の識別情報と、前記コンテンツの受信状況に関する情報を前記通信制御サーバに送信し、前記赤外線データ放送方式で、前記赤外線送信装置からの前記コンテンツを受信することを特徴とする。
本願の第１２の発明は、第９の発明の前記通信制御サーバは、前記携帯情報端末からの前記コンテンツの指定情報によって、前記インターネットを介して、指定されたコンテンツにアクセスし前記赤外線送信装置の識別情報で指す前記赤外線送信装置に、前記コンテンツと前記携帯情報端末の前記コンテンツの受信状況に関する情報を送信することを特徴とする。
本願の第１３の発明は、第９の発明の前記赤外線送信装置は、前記通信制御サーバを介して、前記携帯情報端末からの前記コンテンツの受信状況に応じ、前記赤外線データ放送方式で前記コンテンツをパケットで配信することを特徴とする。
本願の第１４の発明は、第９の発明の前記コンテンツは、前記赤外線送信装置から前記赤外線データ放送方式によって前期携帯情報端末へ配信されることを特徴とする。
本願の第１５の発明は、第９の発明の前記通信制御サーバは、前記赤外線送信装置の識別情報を用いることによって、前記赤外線送信装置のような複数の赤外線送信装置を制御、管理できることを特徴とする。
本願の第１６の発明は、第９の発明の前記赤外線送信装置は、前記携帯情報端末の識別情報を用いることによって、前記赤外線送信装置の配信エリアにある複数の前記携帯情報端末に、その携帯情報端末から要求されるコンテンツを配信できることが特徴とする。
【発明の効果】
【０００５】
本発明の赤外線データ放送と無線電波通信によるハイブリッドワイヤレス通信方式とシステムでは、上り経路で送信される情報量は、下り経路で受信される情報量より遥かに少ないから、携帯情報端末から送られる少ない情報を移動体通信で、携帯情報端末で受信される大容量情報を高速及び超高速の赤外線データ放送で伝送することがもっとも効果的な方法と考える。この方法で、携帯情報端末のユーザは少ないパケット課金で高速に大容量データを受信することが可能になる。このように、ハイブリッド通信方式なら低コストで高速という新たなデータ通信サービスを実現することができると考える。
本発明によれば、人があつまる場所において、既存の高速インターネット環境を生かして、携帯電話のような携帯情報端末向けの低コスト、かつ高速なモバイル通信手段を提供することが可能になることにより、利用者は容易に大容量コンテンツを入手することができ、利用者の利便性が向上することである。
本発明によれば、赤外線データ放送方式の高速性と無線電波通信の柔軟性を融合することによって、携帯情報端末向けの新しい通信形態で様々な新しいサービスが可能になる。
【発明を実施するための最良の形態】
【０００６】
以下、本発明を実施するための最良の形態について、図面を参照して詳細に説明する。同時に、本発明の実施形態におけるシステム構成を説明する。ただし、これらは単に本発明をより分かり易く説明するためのものであるから、かならずしも本発明の応用を限定するものではない。
【実施例１】
【０００７】
図１に示されるシステムは、携帯情報端末の携帯電話端末１０、赤外線送信装置２０、通信制御サーバ３０、インターネット４０、コンテンツサーバ５０、移動体通信網６０、ゲートウェイサーバ７０等により構成される。
携帯電話端末１０は、赤外線データ放送方式に対応できる受信部を備えており、非接触でのコンテンツ受信を可能とする（特願２００４−７７８５７参照）とともに、移動体通信網６０の基地局６２との間で、公知の無線通信により通信サービス提供機能を有する。
移動体通信網６０は、無線セルに在圏する携帯電話端末１０と、無線通信を行う基地局６２と、網内の回線交換交換局６１により構成される公知のシステムである。
インターネット４０と移動体通信網６０は、ゲートウェイサーバ７０を介して接続される公知のシステムである。
インターネット４０に公知の方法で接続されているコンテンツサーバ５０で、通常の閲覧用Ｗｅｂコンテンツまたは後述する携帯電話端末１０への配信用コンテンツが運営・管理されている。
赤外線送信装置２０は、配信エリアにある携帯電話端末１０へ赤外線データ放送方式で指定されたコンテンツを配信する。また、赤外線送信装置２０は、一定の頻度で赤外線データ放送で赤外線送信装置２０の識別情報を配信する。
インターネット４０に公知の方法で接続されている赤外線送信装置２０は、インターネット４０に公知の方法で接続されている通信制御サーバ３０により制御される。
通信制御サーバ３０は、携帯電話端末１０からのコンテンツ５０の接続請求に応じて、コンテンツサーバ５０にアクセスし、コンテンツサーバ５０から取得したコンテンツデータを赤外線送信装置２０へ送信し、更に、携帯電話端末１０からの受信応答により、コンテンツデータを赤外線送信装置２０から、携帯電話端末１０へ送信する管理機能を有する。
コンテンツサーバ５０の接続に必要な接続情報は、移動体通信網６０とインターネット４０を介して、携帯電話端末１０から通信制御サーバ３０に送信される。
赤外線送信装置２０の識別情報は、移動体通信網６０とインターネット４０を介して、携帯電話端末１０から通信制御サーバ３０に送信され、通信制御サーバ３０が赤外線送信装置２０を制御する時に使われる。
携帯電話端末１０で受信されるコンテンツサーバ５０からのコンテンツデータは、移動体通信網６０を通さずに、通信制御サーバ３０と赤外線送信装置２０を介して、上記赤外線データ方式で携帯電話端末１０に配信される。
次に、本発明を図１のように実施するための最良の形態の動作について、図面を参照して説明する。
図２は、本実施の形態の動作のシーケンスを示す図である。図１、２を参照して本実施の形態の動作について説明する。
携帯電話端末１０は赤外線送信装置２０からの赤外線送信装置の識別情報を受信する。（Step 1）
携帯電話端末１０は移動体通信網６０を介して、通信制御サーバ３０に接続サービスを請求する。（Step 2）
通信制御サーバ３０は携帯電話端末１０の請求を確認し、携帯電話端末１０に接続許可を送信する。（Step 3）
携帯電話端末１０は、移動体通信網６０を介して、インターネット４０に接続されているコンテンツサーバ５０の接続情報を通信制御サーバ３０に送信する。（Step 4）
通信制御サーバ３０は、上記のコンテンツサーバ５０の指定情報により、コンテンツサーバ５０にアクセスし、コンテンツサーバ５０にコンテンツデータの配信を請求する。（Step 5）
コンテンツサーバ５０は上記のコンテンツデータの配信請求に応じて、コンテンツデータを送信する。（Step 6）
通信制御サーバ３０は、インターネット４０を介して、赤外線送信装置２０にコンテンツサーバ５０から受信したコンテンツのパケットの配信を開始する。（Step 7）
赤外線送信装置２０は、赤外線データ放送方式で携帯電話端末１０にそのコンテンツデータのパケットを配信する。（Step 8）
携帯電話端末１０は、移動体通信網６０とインターネットを介して、コンテンツデータのパケットの受信状況（例えば、パケット受信完了）を通信制御サーバ３０に報告する。（Step 9）
通信制御サーバ３０は、携帯電話端末１０からの上記のコンテンツのパケットの受信状況により、赤外線送信装置２０のコンテンツのパケット配信過程を制御する。（Step 10）
赤外線送信装置２０は、通信制御サーバ３０の制御を受けて、赤外線データ放送方式で携帯電話端末１０に次のコンテンツのパケットを配信する。（Step 11）
Step 9とStep 10とStep 11は、全てのコンテンツのパケットが携帯電話端末１０に配信されるまで繰り返される。
携帯電話端末１０は、移動体通信網とインターネットを介して、コンテンツのパケットの受信状況（例えば、パケット受信完了）を通信制御サーバ３０に報告する。（Step 12）
通信制御サーバ３０は、全てのコンテンツのパケットを受信することを確認することで、赤外線送信装置２０に配信終了を通知する。（Step 13）
通信制御サーバ３０は、携帯電話端末１０に接続サービスの終了を通知する。（Step 14）
赤外線送信装置２０と通信制御サーバ３０が、公知の方法でインターネット４０に接続されているから、一つの通信制御サーバ３０が複数の赤外線送信装置２０を制御できる。
【実施例２】
【０００８】
赤外線データ放送と無線電波通信によるハイブリッドワイヤレス通信サービス実施の条件と規模によって、図１に示される通信制御サーバ３０と赤外線送信装置２０を一体にして、図３に示されるような通信制御サーバ機能を内蔵した赤外線送信装置２１を採用することができる。
図３に示されるシステムは、携帯電話機１０、赤外線送信装置２１、インターネット４０、コンテンツサーバ５０、移動体通信網６０、ゲートウェイサーバ７０により構成される。
携帯電話端末１０は、赤外線データ放送方式に対応できる受信部を備えており、非接触でコンテンツの受信を可能とする（特願２００４−７７８５７参照）とともに、移動体通信網６０の基地局６２との間での公知の無線通信により通信サービス提供機能を有する。
移動体通信網６０は、無線セルに在圏する携帯電話機１０と無線通信を行う基地局６２と網内の回線交換局６１により構成される公知のシステムである。
インターネット４０と移動体通信網６０は、ゲートウェイサーバ７０を介して接続される公知のシステムである。
インターネット４０に公知の方法で接続されているコンテンツサーバ５０で、通常の閲覧用Ｗｅｂコンテンツ、または後述する携帯電話端末１０への配信用コンテンツが運営・管理されている。
インターネット４０に公知の方法で接続されている通信制御サーバ機能内蔵赤外線送信装置２１は、配信エリアにある携帯電話端末１０へ赤外線データ放送方式で配信する。また、通信制御サーバ機能内蔵赤外線送信装置２１は、一定の頻度で通信制御サーバ機能内蔵赤外線送信装置２１の識別情報を配信する。
通信制御サーバ機能内蔵赤外線送信装置２１は、携帯電話端末１０からのコンテンツサーバ５０の接続請求に応じて、コンテンツサーバ５０にアクセスし、携帯電話端末１０からの受信応答により、コンテンツサーバ５０から取得したコンテンツを赤外線データ放送方式で携帯電話端末１０へ配信する。
コンテンツサーバ５０の接続情報は、移動体通信網６０とインターネット４０を介して、携帯電話端末１０から通信制御サーバ機能内蔵赤外線送信装置２１に送信される。
コンテンツサーバ５０からのコンテンツデータは、移動体通信網６０を通さずに、通信制御サーバ機能内蔵赤外線送信装置２１を介して、上記赤外線データ方式で携帯電話端末１０に配信される。
次に、本発明を図３のように実施するための最良の形態の動作について、図面を参照して説明する。
図４は、本実施の形態の動作のシーケンスを示す図である。図３、４を参照して本実施の形態の動作について説明する。
携帯電話端末１０は、通信制御サーバ機能内蔵赤外線送信装置２１からの赤外線送信装置２１の識別情報を受信する。（Step 1）
携帯電話端末１０は、移動体通信網６０とインターネット４０を介して通信制御サーバ機能内蔵赤外線送信装置２１に接続サービスを請求する。（Step 2）
通信制御サーバ機能内蔵赤外線送信装置２１は、携帯電話端末１０の接続請求を確認し、携帯電話端末１０に接続許可を送信する。（Step 3）
携帯電話端末１０は、インターネット４０に接続されているコンテンツサーバ５０の接続情報を、移動体通信網６０とインターネット４０を介して通信制御サーバ機能内蔵赤外線送信装置２１に送信する。（Step 4）
通信制御サーバ機能内蔵赤外線送信装置２１は、上記のコンテンツサーバ５０の接続情報によりコンテンツサーバ５０にアクセスし、コンテンツサーバ５０にコンテンツデータの配信を請求する。（Step 5）
コンテンツサーバ５０は、上記のコンテンツデータの配信請求に応じてコンテンツデータを送信する。（Step 6）
通信制御サーバ機能内蔵赤外線送信装置２１は、赤外線データ放送方式で携帯電話端末１０にコンテンツデータのパケットを配信する。（Step 7）
携帯電話端末１０は、コンテンツデータのパケットの受信状況（例えば、パケット受信完了）を、移動体通信網６０とインターネット４０を介して通信制御サーバ機能内蔵赤外線送信装置２１に報告する。（Step 8）
通信制御サーバ機能内蔵赤外線送信装置２１は、携帯電話端末１０からの上記のコンテンツのパケットの受信状況により、赤外線データ放送方式で携帯電話端末１０に次のコンテンツのパケットを配信する。（Step 9）
Step 8とStep 9とStep 10は、全てのコンテンツのパケットが携帯電話端末１０に配信されるまで繰り返される。
携帯電話端末１０は、移動体通信網６０とインターネット４０を介してコンテンツのパケットの受信状況（例えば、パケット受信完了）を、通信制御サーバ機能内蔵赤外線送信装置２１に報告する。（Step 10）
通信制御サーバ機能内蔵赤外線送信装置２１は、インターネット４０と移動体通信網６０を介して、携帯電話端末１０にコンテンツ配信の終了及び接続サービスの終了を通知する。（Step 11）
【図面の簡単な説明】
【０００９】
【図１】本発明の実施形態１におけるシステム構成を示す図である。
【図２】本実施の形態１の動作のシーケンスを示す図である。
【図３】本発明の実施形態２におけるシステム構成を示す図である。
【図４】本実施の形態２の動作のシーケンスを示す図である。
【符号の説明】
【００１０】
１０            携帯電話端末
１５            赤外線データ放送方式の赤外線信号
２０            赤外線送信装置
２１            通信制御サーバ機能内蔵赤外線送信装置
３０            通信制御サーバ
４０            インターネット
５０            コンテンツサーバ
６０            移動体通信網
６１            交換局
６２            基地局
７０            ゲートウェイ
【図１】
2006352291.tif 000003
【図２】
2006352291.tif 000004
【図３】
2006352291.tif 000005
【図４】
2006352291.tif 000006